(57)【特許請求の範囲】
【請求項１】
複数の底面凹部を有する底面部と、
側面凸部を有する側面部と背面凸部を有する背面部と前面部とを有し前記側面凸部および前記背面凸部をそれぞれ前記底面凹部に係合させて前記底面部の上に配される立面部と、
裏面部と平面視における外形形状が五角形の便座部および蓋部とを有し前記立面部の上方部と前記裏面部とを係合させて前記立面部の上に配される天面部と、
を備え、
前記裏面部と前記便座部にはそれぞれ開口部が形成され、
前記蓋部は前記便座部の後方の辺を中心に前記便座部に対して回動させることができ、
前記蓋部の前方の２つの辺にはそれぞれ五角形の外方に膨らんだ膨出部が設けられ、
前記膨出部の前端は前記蓋部の前端と同じ位置か後ろにある、
組み立て式トイレ。
【請求項２】
前記側面部の上方の辺は前方が下がっている、
請求項１に記載の組み立て式トイレ。
【請求項３】
前記便座部は複数枚の段ボールを重ねて構成され、
前記複数の段ボールのうちの少なくとも２枚は目方向を交差させて重ねられている、
請求項１および請求項２に記載の組み立て式トイレ。
【請求項４】
前記立面部は目方向が上下方向である段ボールで構成され、
前記背面部は２つの面で構成され、
前記２つの面は前記背面凸部よりも左右方向の寸法が狭い範囲で前記背面凸部の上方に設けられたアリ溝と桟とで係合されている、
請求項１から請求項３に記載の組み立て式トイレ。
【請求項５】
前記蓋部は目方向が左右方向である段ボールで構成されている、
請求項１から請求項４に記載の組み立て式トイレ。
【請求項６】
前記便座部の最上面と前記蓋部は１枚の段ボールで構成されている、
請求項５に記載の組み立て式トイレ。
【発明の詳細な説明】
【技術分野】
【０００１】
本開示は、組み立て式トイレに関する。
【背景技術】
【０００２】
被災地や屋外イベントなど水道インフラが整備されていない状況や場所では、組み立て式トイレが用いられる（例えば、特許文献１参照）。この組み立て式トイレは、前面部と背面部と側面部と、床面に固定される固定部と、開口部を有する座面部を備えている。
【先行技術文献】
【特許文献】
【０００３】
【特許文献１】特開２０１８−１０２５７８号公報
【発明の概要】
【発明が解決しようとする課題】
【０００４】
ところで、こうした組み立て式トイレにおいては、便座の上に蓋がない場合には、繰り返しの使用時に先回の使用時の排泄物が見えてしまうだけでなく臭いを閉じ込めておくこともできない。よって便座の上に蓋がある場合に比べて、快適さは必ずしも十分ではない。
【０００５】
本開示の目的は、使用時の利便性を確保しながら快適さを向上させる組み立て式トイレを提供することにある。
【課題を解決するための手段】
【０００６】
本開示の組み立て式トイレは、複数の底面凹部を有する底面部と、側面凸部を有する側面部と背面凸部を有する背面部と前面部とを有し前記側面凸部および前記背面凸部をそれぞれ前記底面凹部に係合させて前記底面部の上に配される立面部と、裏面部と平面視における外形形状が五角形の便座部および蓋部とを有し前記立面部の上方部と前記裏面部とを係合させて前記立面部の上に配される天面部と、を備え、前記裏面部と前記便座部にはそれぞれ開口部が形成され、前記蓋部は前記便座部の後方の辺を中心に前記便座部に対して回動させることができ、前記蓋部の前方の２つの辺にはそれぞれ五角形の外方に膨らんだ膨出部が設けられ、前記膨出部の前端は前記蓋部の前端と同じ位置か後ろにある。
【発明の効果】
【０００７】
本開示によれば、組み立て式トイレの使用時の利便性を確保しながら快適さを向上させることができる。
【図面の簡単な説明】
【０００８】
【図１】図１は、組み立て式トイレの一実施形態のある使用状態を示す斜視図である。
【図２】図２は、同実施形態の組み立て式トイレのある使用状態を示す分解斜視図である。
【図３】図３は、同実施形態の組み立て式トイレのある使用状態を示す別の視点からの斜視図である。
【図４】図４は、同実施形態の組み立て式トイレのある使用状態を示す別の視点からの分解斜視図である。
【図５】図５は、同実施形態の組み立て式トイレの別の使用状態を示す斜視図である。
【図６】図６は、同実施形態の組み立て式トイレの別の使用状態を示す別の視点からの斜視図である。
【図７】図７は、同実施形態の組み立て式トイレを示す背面図である。
【図８】図８は、同実施形態の組み立て式トイレを示す右側面図である。
【図９】図９は、同実施形態の組み立て式トイレの平面図である。
【図１０】図１０は、同実施形態の組み立て式トイレの底面図である。
【図１１】図１１は、立面部を展開した状態を示す展開図である。
【図１２】図１２は、図１１の（１２）−（１２）線における断面図である。
【図１３】図１３は、天面部を展開した状態を示す展開図である。
【図１４】図１４は、図１３の（１４）−（１４）線における断面図である。
【図１５】図１５は、底面部を示す平面図である。
【図１６】図１６は、図１５の（１６）−（１６）線における断面図である。
【図１７】図１７は、図１５の（１７）−（１７）線における断面図である。
【図１８】図１８は、蓋部と便座部を重ねてハッチングにより膨出部を示した模式図である。
【発明を実施するための形態】
【０００９】
［本開示の実施形態の説明］
最初に本開示の実施形態を列記して説明する。
本開示の組み立て式トイレは、
［１］複数の底面凹部を有する底面部と、側面凸部を有する側面部と背面凸部を有する背面部と前面部とを有し前記側面凸部および前記背面凸部をそれぞれ前記底面凹部に係合させて前記底面部の上に配される立面部と、裏面部と平面視における外形形状が五角形の便座部および蓋部とを有し前記立面部の上方部と前記裏面部とを係合させて前記立面部の上に配される天面部と、を備え、前記裏面部と前記便座部にはそれぞれ開口部が形成され、前記蓋部は前記便座部の後方の辺を中心に前記便座部に対して回動させることができ、前記蓋部の前方の２つの辺にはそれぞれ五角形の外方に膨らんだ膨出部が設けられ、前記膨出部の前端は前記蓋部の前端と同じ位置か後ろにある。
【００１０】
同構成によれば、蓋部が便座部に対して回動させることができるように設けられているため、蓋部を閉じた状態にしておけば先回の使用時の排泄物が見えることはなく、また臭いも閉じ込めておくことができる。また、蓋部の前方の２つの辺にはそれぞれ五角形の外方に膨らんだ膨出部が設けられているため、蓋部が閉じられた状態から開く際に、膨出部に手を掛けやすい。さらに膨出部の前端は蓋部の前端と同じ位置か後ろにあるため、蓋部の部材の原単位をむやみに大きくする必要がない。
【００１１】
［２］前記側面部の上方の辺は前方が下がっていることが好ましい。
【００１２】
同構成によれば、組み立て式トイレの使用者の上体が前傾姿勢となり上体が使用者の重心に近づくことで、快適性をより向上させることができる。
【００１３】
［３］前記便座部は複数枚の段ボールを重ねて構成され、前記複数の段ボールのうちの少なくとも２枚は目方向を交差させて重ねられていることが好ましい。
【００１４】
同構成によれば、段ボールという汎用性の高い部材が用いられているため、専用材を用いる場合と比較して生産コストを低く抑えることができる。また複数の段ボールを重ねることで、１枚の段ボールを用いる場合と比較して強度を高くすることができる。さらに複数の段ボールのうちの２枚は、強度が高い目方向を互いに交差させて重ねられているため、荷重がかかる方向が必ずしも定まらない便座部の強度をバランスよく高めることができる。
【００１５】
［４］前記立面部は目方向が上下方向である段ボールで構成され、前記背面部は２つの面で構成され、前記２つの面は前記背面凸部よりも左右方向の寸法が狭い範囲で前記背面凸部の上方に設けられたアリ溝と桟とで係合されていることが好ましい。
【００１６】
同構成によれば、荷重が概ね上下方向だけにかかる立面部について、目方向を複数方向とする場合と比較して生産コストを低く抑えることができる。また、組み立てる際に２つの面をアリ溝と桟とを係合して背面部とすることで、生産工程で予め２つの面を貼り合わせる場合などと比較し、生産コストを低く抑えることができる。さらに、背面凸部よりも左右方向の寸法が狭い範囲で前記背面凸部の上方にアリ溝と桟とを係合させることで背面凸部の左右方向の動きが底面凹部で拘束されるので、アリ溝と桟とが互いに開く方向に荷重がかかった場合にも、簡易な構造で係合に十分な強度を確保することができる。
【００１７】
［５］前記蓋部は目方向が左右方向である段ボールで構成されていることが好ましい。
【００１８】
同構成によれば、その役目として臭いの発散と目隠しの機能が求められ、便座部等と比較して高い強度は求められていない蓋部を、目方向を一方向とした段ボールで構成することで、目方向を複数方向とする場合と比較して生産コストを低く抑えることができる。
【００１９】
［６］前記便座部の最上面と前記蓋部は１枚の段ボールで構成されていることが好ましい。
【００２０】
１枚の段ボールの目方向は左右方向であるので、同構成によれば、予め生産工場などで特段の加工をすることなく折り曲げるだけで、便座部に対して蓋部を回動させることができる。また、便座部の最上面と蓋部を１枚の段ボールで構成できるので、生産コストを低く抑えることができる。
【００２１】
［本開示の実施形態の詳細］
本開示の組み立て式トイレの具体例を、以下に図面を参照しつつ説明する。各図面では、説明の便宜上、構成の一部を誇張または簡略化して示す場合がある。また、各部分の寸法比率については各図面で異なる場合がある。なお本開示はこれらの例示に限定されるものではなく、特許請求の範囲によって示され、特許請求の範囲と均等の意味および範囲内でのすべての変更が含まれることが意図される。本明細書における「平行」や「直交」は厳密に平行や直交の場合のみではなく、本実施形態における作用効果を奏する範囲内で概ね平行や直交の場合も含まれる。
【００２２】
（組み立て式トイレ１００の全体構成）
図１〜図１８に示すように、組み立て式トイレ１００は、底面部１０と、底面部１０の上に配される立面部２０と、立面部２０の上に配される天面部３０とを備えている。
組み立て式トイレ１００は、紙製、木製、樹脂製または金属製などの種々の材料を用いた板状の部材で形成される。本実施形態では、金属等に比べて軽量である紙製の段ボールを、目方向を交差させて重ねたり、目方向を揃えて重ねたり、あるいは１枚だけ用いることで各部が形成されている。
以下の説明において、上方とは図１中の上方、前方とは図８中の左方、後方とは図８中の右方、左右方向とは図９中および図１５中の左右方向を言うものとする。
【００２３】
（底面部１０の構成）
底面部１０は、本実施形態では、図１６および図１７に示すように段ボールを４枚重ねて形成されている。その目方向は、上の２枚が同じ方向、下の２枚が上の２枚と直交する方向とされている。
【００２４】
底面部１０には、左右方向の両側方と後方に、底面部１０の一部を板厚方向に凹ませて、または底面部１０に穴をあけることで複数の底面凹部１１が形成される。本実施形態では、図１５〜図１７に示すように、重ねられた４枚の段ボールの全てに穴をあけることで底面凹部１１が形成されている。
【００２５】
（立面部２０の構成）
立面部２０は、図２〜図４、図６および図１１などに示すように、組み立て式トイレ１００の前方の面である前面部２１と、後方の面である背面部２６と、前面部２１と背面部２６とをつなぐ側面部２４とを備えている。本実施形態では、図１１に示すように段ボールを一体ものとして立面部２０を形成し、その一体ものである立面部２０を適宜折り曲げることで前面部２１と側面部２４と背面部２６とを形成している。立面部２０は、図１２に示すように２枚の段ボールを重ねて形成されており、その目方向は２枚とも上下方向とされている。
【００２６】
（前面部２１の構成）
前面部２１は、図３、図４、図６および図１１に示すように、最前面部２２と、側前面部２３とを備えている。
【００２７】
（側面部２４の構成）
側面部２４の下方の辺の前方には、図２、図４および図１１に示すように、側面凸部２５が形成され、側面凸部２５を底面凹部１１に係合することで底面部１０と側面部２４が固定される。
【００２８】
側面部２４の上方の辺は、図８および図１１に示すように、前方が下がるように形成されている。
【００２９】
（背面部２６の構成）
背面部２６の下方の辺の左右方向の中央には、図２および図１１に示すように、背面凸部２９が形成され、背面凸部２９を底面凹部１１に係合することで底面部１０と背面部２６が固定される。
【００３０】
背面部２６は、図２、図７および図１１などに示すように、２つの面から構成されている。各々の面にアリ溝２７と桟２８が形成され、これらを係合させることで背面部２６が形成される。本実施形態では、アリ溝２７と桟２８はそれぞれ２つずつ形成されている。
【００３１】
アリ溝２７と桟２８は、図２および図１１に示すように、背面凸部２９の上方に形成されている。アリ溝２７と桟２８の左右方向の寸法は、背面凸部２９よりも狭い寸法とされている。
【００３２】
（天面部３０の構成）
天面部３０は、図２〜図６、図９、図１３などに示すように、組み立て式トイレの上方の面を構成し、裏面部３１と、便座部３４と、蓋部３８とを備えている。
【００３３】
（裏面部３１の構成）
裏面部３１は、本実施形態では、図１４に示すように段ボールを４枚重ねて形成されている。その目方向は、上の２枚が同じ方向、下の２枚が上の２枚と直交する方向とされている。裏面部３１は、立面部２０の上方部と係合させることで立面部２０に対して固定される。裏面部３１には、前方が楕円の一部、後方が円の一部をつなげた形状の、排泄物を通過させるための開口部３７が形成されている。
【００３４】
（便座部３４の構成）
便座部３４は、本実施形態では、図１４に示すように段ボールを５枚重ねて形成されている。その目方向は、下の２枚が同じ方向、その２枚の上の２枚が下の２枚と直交する方向とされている。便座部３４には、前方が楕円の一部、後方が円の一部をつなげた形状の、排泄物を通過させるための開口部３７が形成され、その開口部３７は裏面部３１の開口部３７と同一の形状とされている。便座部３４の平面視における外形形状は五角形である。
【００３５】
（蓋部３８の構成）
蓋部３８は、目方向が左右方向である段ボールで形成されている。本実施形態では、図７、図９、図１３および図１４などに示すように、前記便座部３４の後方の辺に設けられたヒンジ部３５において便座部３４の最上面と連結されており、１枚の段ボールで形成されている。
【００３６】
蓋部３８の平面視における外形形状は五角形であり、図９、図１０など、また図１８のハッチング部で示すように蓋部３８の前方の２つの辺にはそれぞれ五角形の外方に膨らんだ膨出部３９が、それらの前端が蓋部３８の前端と同じ位置か後ろになるように形成されている。
【００３７】
本実施形態の作用効果について説明する。
（１）複数の底面凹部１１を有する底面部１０と、側面凸部２５を有する側面部２４と背面凸部２９を有する背面部２６と前面部２１とを有し側面凸部２５および背面凸部２９をそれぞれ底面凹部１１に係合させて底面部１０の上に配される立面部２０と、裏面部３１と平面視における外形形状が五角形の便座部３４および蓋部３８とを有し立面部２０の上方部と裏面部３１とを係合させて立面部２０の上に配される天面部３０と、を備え、裏面部３１と便座部３４にはそれぞれ開口部３７が形成され、蓋部３８は便座部３４の後方の辺を中心に便座部３４に対して回動させることができ、蓋部３８の前方の２つの辺にはそれぞれ五角形の外方に膨らんだ膨出部３９が設けられ、膨出部３９の前端は蓋部３８の前端と同じ位置か後ろにある。
【００３８】
同構成によれば、蓋部３８が便座部３４に対して回動させることができるように設けられているため、蓋部３８を閉じた状態にしておけば先回の使用時の排泄物が見えることはなく、また臭いも閉じ込めておくことができる。また、蓋部３８の前方の２つの辺にはそれぞれ五角形の外方に膨らんだ膨出部３９が設けられているため、蓋部３８が閉じられた状態から開く際に、膨出部３９に手を掛けやすい。さらに膨出部３９の前端は蓋部３８の前端と同じ位置か後ろにあるため、材料の原単位をむやみに大きくする必要がない。
【００３９】
底面部１０は、段ボールを４枚重ねて形成されている。その目方向は、上の２枚が同じ方向、下の２枚が上の２枚と直交する方向とされている。
【００４０】
同構成によれば、荷重がかかる方向が必ずしも定まらない底面部１０の強度をバランスよく高めることができる。
【００４１】
底面凹部１１は、重ねられた４枚の段ボールの全てに穴をあけることで形成されている。
【００４２】
同構成によれば、生産工程で一気に裁断で形成できるので、底面凹部１１を厚み方向の一部に形成する場合と比較し、生産コストを低く抑えることができる。
【００４３】
便座部３４の平面視における外形形状は五角形である。
【００４４】
同構成によれば、組み立て式トイレの使用者のひざ下の収まりがよい。
【００４５】
便座部３４には、前方が楕円の一部、後方が円の一部をつなげた形状の、排泄物を通過させるための開口部３７が形成され、その開口部３７は裏面部３１の開口部３７と同一の形状とされている。
【００４６】
同構成によれば、生産工程において裏面部３１と便座部３４を貼り合わせる際、図示しない治具に裏面部３１の開口部３７と便座部３４の開口部３７の両方を当接させることで容易に位置合わせができる。
（２）側面部２４の上方の辺は前方が下がっている。
【００４７】
同構成によれば、組み立て式トイレの使用者の上体が前傾姿勢となり上体が使用者の重心に近づくことで、快適性をより向上させることができる。
【００４８】
（３）便座部３４は複数枚の段ボールを重ねて構成され、複数の段ボールのうちの少なくとも２枚は目方向を交差させて重ねられている。
【００４９】
同構成によれば、段ボールという汎用性の高い部材が用いられているため、専用材を用いる場合と比較して生産コストを抑えることができる。また複数の段ボールを重ねることで、１枚の段ボールを用いる場合と比較して強度を高くすることができる。さらに複数の段ボールのうちの２枚は、強度が高い目方向を互いに交差させて重ねられているため、荷重がかかる方向が必ずしも定まらない便座部３４の強度をバランスよく高めることができる。
【００５０】
便座部３４の段ボールの目方向は、下の２枚が同じ方向、その上の２枚が下の２枚と直交する方向とされている。
【００５１】
同構成によれば、荷重がかかる方向が必ずしも定まらない便座部１４の強度をさらにバランスよく高めることができる。
【００５２】
（４）立面部２０は目方向が上下方向である段ボールで構成され、背面部２６は２つの面で構成され、２つの面は背面凸部２９よりも左右方向の寸法が狭い範囲で背面凸部２９の上方に設けられたアリ溝２７と桟２８とで係合されている。
【００５３】
同構成によれば、荷重が概ね上下方向だけにかかる立面部２０について、目方向を複数方向とする場合と比較して生産コストを低く抑えることができる。また、組み立てる際に２つの面をアリ溝２７と桟２８とを係合して背面部２６とすることで、生産工程で予め２つの面を貼り合わせる場合などと比較し、生産コストを低く抑えることができる。さらに、背面凸部よりも左右方向の寸法が狭い範囲で背面凸部２９の上方にアリ溝と桟とを係合させることで背面凸部２９の左右方向の動きが底面凹部１１で拘束されるので、アリ溝２７と桟２８とが互いに開く方向に荷重がかかった場合にも、簡易な構造で係合に十分な強度を確保することができる。
【００５４】
立面部２０は、組み立て式トイレ１００の前方の面である前面部２１と、後方の面である背面部２６と、前面部２１と背面部２６とをつなぐ側面部２４とを一体ものの段ボールで形成し、立面部２０を適宜折り曲げることで前面部２１と、側面部２４と、背面部２６とを形成している。立面部２０は、２枚の段ボールを重ねて形成されており、その目方向は２枚とも上下方向とされている。
【００５５】
同構成によれば、目方向が上下方向なので上下方向の荷重に強く、かつ目方向に沿って折り曲げやすいので前面部２１、側面部２４、背面部２６を形成しやすい。
【００５６】
（５）前記蓋部３８は目方向が左右方向である段ボールで構成されている。
【００５７】
同構成によれば、その役目として臭いの発散と目隠しの機能が求められ、便座部３４等と比較して高い強度は求められていない蓋部３８を、目方向を一方向とした段ボールで構成することで、目方向を複数方向とする場合と比較して生産コストを低く抑えることができる。
【００５８】
（６）便座部３４の最上面と蓋部３８は１枚の段ボールで構成されている。
【００５９】
１枚の段ボールの目方向は左右方向であるので、同構成によれば、予め生産工場などで特段の加工をすることなく折り曲げるだけで、便座部３４に対して蓋部３８を回動させることができる。また、便座部３４の最上面と蓋部３８を１枚の段ボールで構成できるので、生産コストを低く抑えることができる。
【００６０】
蓋部３８は、便座部３４の後方の辺に設けられたヒンジ部３５において便座部３４の最上面と連結されており、１枚の段ボールで形成されている。
【００６１】
同構成によれば、生産工程で１枚の段ボールを裁断するだけで良いので、複数枚の段ボールで構成する場合と比較し生産コストを下げることができる。また１枚の段ボールで形成されているので、別体ものを連結した場合と比較し、蓋部３８を回動させる際の耐久性が高い。
【００６２】
なお上述したのはあくまでも一実施形態であり、当業者の知識に基づいて種々の変更、改良を加えた態様で実施することができる。
【符号の説明】
【００６３】
１０ 底面部
１１ 底面凹部
２０ 立面部
２１ 前面部
２２ 最前面部
２３ 側前面部
２４ 側面部
２５ 側面凸部
２６ 背面部
２７ アリ溝
２８ 桟
２９ 背面凸部
３０ 天面部
３１ 裏面部
３４ 便座部
３５ ヒンジ部
３７ 開口部
３８ 蓋部
３９ 膨出部
１００ 組み立て式トイレ
【要約】      （修正有）【課題】使用時の利便性を確保しながら快適さを向上させる組み立て式トイレを提供する。【解決手段】複数の底面凹部１１を有する底面部１０と、側面凸部２５を有する側面部２４と背面凸部２９を有する背面部２６と前面部とを有し側面凸部２５および背面凸部２９をそれぞれ底面凹部１１に係合させて底面部１０の上に配される立面部２０と、裏面部と平面視における外形形状が五角形の便座部３４および蓋部３８とを有し立面部２０の上方部と裏面部とを係合させて立面部２０の上に配される天面部３０と、を備え、裏面部と便座部３４にはそれぞれ開口部３７が形成され、記蓋部３８は便座部３４の後方の辺を中心に便座部３４に対して回動させることができ、蓋部３８の前方の２つの辺にはそれぞれ五角形の外方に膨らんだ膨出部が設けられ、膨出部の前端は蓋部３８の前端と同じ位置か後ろにある。【選択図】図２【図１】
0006926358.tif 000002
【図２】
0006926358.tif 000003
【図３】
0006926358.tif 000004
【図４】
0006926358.tif 000005
【図５】
0006926358.tif 000006
【図６】
0006926358.tif 000007
【図７】
0006926358.tif 000008
【図８】
0006926358.tif 000009
【図９】
0006926358.tif 000010
【図１０】
0006926358.tif 000011
【図１１】
0006926358.tif 000012
【図１２】
0006926358.tif 000013
【図１３】
0006926358.tif 000014
【図１４】
0006926358.tif 000015
【図１５】
0006926358.tif 000016
【図１６】
0006926358.tif 000017
【図１７】
0006926358.tif 000018
【図１８】
0006926358.tif 000019